(57)【要約】【課題】  患者が処方箋に予め定められた種類の薬を定められた時刻に、定められた服用量を間違うことなく正確に服用できるようにした投薬管理システムを提供する。【解決手段】  情報記憶媒体と、種類別に薬を格納する薬格納部と、前記薬格納部から排出された薬を取り出し可能に保存する薬取出部とを有し、前記情報記憶媒体に記憶された薬の服用情報に基づいて、服用すべき薬を前記薬格納部から薬取出部に排出する投薬管理装置とからなり、前記情報記憶媒体は、薬の服用情報が記憶された記憶手段を有し、前記投薬管理装置は、前記情報記憶媒体に記憶された服用情報を読み取る読取手段と、時刻を計測する計時手段と、前記薬格納部から薬を排出する排出手段と、前記読取手段で読み取られた服用情報に基づいて、前記計時手段による所定の時刻に、前記排出手段により服用が定められた種類の薬を排出させる制御手段とを備えている。【選択図】        図１
2005204686.tif 000002
【特許請求の範囲】
【請求項１】
情報記憶媒体と、種類別に薬を格納する薬格納部と、前記薬格納部から排出された薬を取り出し可能に保存する取出部とを有し、前記情報記憶媒体に記憶された薬の服用情報に基づいて、服用すべき薬を前記薬格納部から取出部に排出する投薬管理装置とからなる投薬管理システムであって、
前記情報記憶媒体は、薬の服用情報が記憶された記憶手段を有し、
前記投薬管理装置は、前記情報記憶媒体に記憶された服用情報を読み取る読取手段と、時刻を計測する計時手段と、前記薬格納部から薬を排出する排出手段と、前記読取手段で読み取られた服用情報に基づいて、前記計時手段による所定の時刻に、前記排出手段により服用が定められた種類の薬を排出させる制御手段とを備えていることを特徴とする投薬管理システム。
【請求項２】
前記投薬管理装置には、前記取出部に排出された薬の存在の有無を検知するための検知手段と、前記検知手段からの信号により薬の取り忘れを知らせる警告手段とを備えていることを特徴とする請求項１記載の投薬管理システム。
【請求項３】
前記投薬管理装置には、前記取出部に排出された薬が所定時間を過ぎても取出されない場合に、前記取出部の下段に設けられた薬回収部に薬を落下させる落下手段を備えていることを特徴とする請求項１記載の投薬管理システム。
【請求項４】
前記情報記憶媒体が、ＩＣカードであることを特徴とする請求項１記載の投薬管理システム。
【請求項５】
前記情報記憶媒体が、医療機関が患者に発行する診察カードであることを特徴とする請求項１記載の投薬管理システム。
【発明の詳細な説明】
【技術分野】
【０００１】
本発明は、医療機関などで医師から患者に処方された投薬について、患者が処方箋に定められた薬を所定の時刻に間違うことなく正確に服用できるようにした投薬管理システムに関する。
【背景技術】
【０００２】
従来、総合病院や医院などの医療機関で診察を受けた患者には、医師の診察結果及び診断に基づいて種々の処方薬が投与される。
これら患者への薬の投与は、一般的に、医師が作成した処方箋に記載された事項に基づいて、薬の種類、１回分の服用量、服用時刻、服用期間などが定められ、これらの処方箋により薬剤師が薬の用意を行い、薬袋に入れるなどして患者に渡している。
【０００３】
通常、これらの薬を薬剤師から患者に渡す際には、どの薬を、いつ、どれだけ服用したらよいのかといった簡単な説明を受けながら渡すことが行われている。
しかしながら、薬の種類を多かったり、類似した外形からなるパッケージを有する薬が複数種類も含まれている場合もあり、例えば、複数種類の錠剤や粉薬が含まれていると、どの錠剤を何錠服用し、またどの粉薬をどれだけづつ服用したらよいのか、迷うことも考えられ、服用する薬の種類や服用量を間違えたり、うっかり定められた時刻に飲み忘れてしまうなどしてしまう場合がある。
【０００４】
特に、患者が高齢者である場合には、１回の服用でどの薬を何錠服用すればよいのかわからなくなってしまったり、また、服用したにもかかわらず、服用したことを忘れてしまって重複して服用してしまったり、更に、服用したと思い込んで実際には服用しなかったりするなど、定められた通りに正しく、薬の服用がなされない場合があるという問題がある。
【０００５】
従来技術において、病院側の装置から患者側の装置に対して、通信回線を介して投薬管理データを送信することで、患者が服用する薬が処方通りに服用されているかを管理するシステムが知られている。（例えば、特許文献１及び特許文献２参照）
しかしながら、このような通信回線を介したシステムでは、事前に種々の用意を行う必要があり、手間や通信コストがかかるという不便があり、一般の患者が気軽に利用できないという問題がある。
【特許文献１】特開平１０−２０１８２７号公報
【特許文献２】特開平１１−２１６１７１号公報
【発明の開示】
【発明が解決しようとする課題】
【０００６】
本発明は、医療機関から患者に処方されて渡された薬について、患者が処方箋に予め定められた種類の薬を定められた時刻に、定められた服用量を間違うことなく正確に服用できるようにしたシステムであって、通信回線を利用することなく、どの患者でも簡単に気軽に利用することができる投薬管理システムを提供する。
【課題を解決するための手段】
【０００７】
本発明の投薬管理システムは、情報記憶媒体と、種類別に薬を格納する薬格納部と、前記薬格納部から排出された薬を取り出し可能に保存する薬取出部とを有し、前記情報記憶媒体に記憶された薬の服用情報に基づいて、服用すべき薬を前記薬格納部から薬取出部に排出する投薬管理装置とからなる投薬管理システムであって、前記情報記憶媒体は、薬の服用情報が記憶された記憶手段を有し、前記投薬管理装置は、前記情報記憶媒体に記憶された服用情報を読み取る読取手段と、時刻を計測する計時手段と、前記薬格納部から薬を排出する排出手段と、前記読取手段で読み取られた服用情報に基づいて、前記計時手段による所定の時刻に、前記排出手段により服用が定められた種類の薬を排出させる制御手段とを備えていることを特徴とする。
【０００８】
また、本発明の投薬管理システムは、前記投薬管理装置には、前記薬取出部に排出された薬の存在の有無を検知するための検知手段と、前記検知手段からの信号により薬の取り忘れを知らせる警告手段とを備えていることを特徴とする。
【０００９】
更に、本発明の投薬管理システムは、前記投薬管理装置には、前記薬取出部に排出された薬が所定時間を過ぎても取り出されない場合に、前記薬取出部の下段に設けられた薬回収部に薬を落下させる落下手段を備えていることを特徴とする。
【００１０】
また、本発明の投薬管理システムは、前記情報記憶媒体が、ＩＣカードであることを特徴とする。
【００１１】
また、本発明の投薬管理システムは、前記情報記憶媒体が、医療機関が患者に発行する診察カードであることを特徴とする。
【発明の効果】
【００１２】
本発明によれば、情報記憶媒体に記憶された薬の服用情報に基づいて、投薬管理装置から定められた時刻に、定められた種類の薬を、定められた服用量だけ排出されるので、間違うことなく正確に服用することができるという効果がある。
【００１３】
また、薬を取り忘れた場合でも、警告手段により知らせてくれるので飲み忘れを防止できるという効果がある。
【００１４】
更に、取出部に排出された薬を取り忘れたとしても、薬回収部に落下するので、一度に定められた量より余分に服用することを防止できるという効果がある。
【００１５】
また、情報記憶媒体をＩＣカードとすることで、薬の服用情報を他人に知られたりすることを防止でき、セキュリティ上の安全性を確保できるという効果がある。
【００１６】
更に、情報記憶媒体を診察カードとすることで、診察カード以外に新たな媒体を発行しなくてもよいのでどの患者にもこのシステムを適応することができる。
【発明を実施するための最良の形態】
【００１７】
以下、本発明の実施の形態を図面に基づいて詳細に説明する。
図１は、本発明の実施形態に係る投薬管理システムに使用する投薬管理装置と情報記憶媒体であるＩＣカードの斜視図、図２は、ＩＣカードの平面図、図３は、ＩＣカードのシステムブロック図、図４は、ＩＣカードに記憶されている薬の服用情報を示す図、図５は、本発明の実施形態に係る投薬管理システムのシステムブロック図、図６は、本発明の実施形態に係る投薬管理システムに使用する投薬管理装置における薬の排出を説明する図、図７は、本発明の実施形態に係る投薬管理システムに使用する投薬管理装置において、取り忘れた薬を落下させる場合を説明する図、図８は、本発明の実施形態に係る投薬管理システムに使用する投薬管理装置であって、薬回収部を引き出した状態を示す斜視図、図９は、本発明の実施形態に係る投薬管理システムに使用する投薬管理装置の他の実施例を示す斜視図、図１０は、他の実施例の投薬管理装置であって、薬取出部の引き出しを開けた状態を示す斜視図、図１１は、他の実施例の投薬管理装置であって、薬取出部と回収図の夫々の引き出しを開けた状態を示す斜視図、図１２は、投薬管理装置に用いる落下手段の他の構造を示す図、図１３は、本発明の実施形態に係る投薬管理システムの処理手順を示すフローチャートである。
【００１８】
本発明の実施形態に係る投薬管理システムは、図１に示すように、投薬管理装置１と、情報記憶媒体であるＩＣカード２とにより構成される。
投薬管理装置１には、上方から複数種類の薬５を種類別に区分けして入れて格納するための薬格納部３と、薬格納部３から排出された薬を利用者が取り出し可能に保存する薬取出部４と、利用者が所定時間を過ぎても、薬取出部４に保存された薬５を取り忘れた場合に、薬取出部４から下方に落下させて、薬を回収する薬回収部６と、ＩＣカード２に記憶された情報を読み取る際に、ＩＣカード２を挿入するためのＩＣカード挿入部７とが備えられている。
この投薬管理装置１は、病院の入院患者毎に１台づつ用意され、また利用者が通院患者の場合には、利用者の自宅などに備えて利用される。
【００１９】
情報記憶媒体であるＩＣカード２は、例えば病院や診療所などの医療機関が患者に発行する診察カードとして用いられることが好ましい。
ＩＣカード２は、図２に示すように、ＩＣチップが内蔵されたＩＣモジュール２が、接触端子部を表面に出した状態でカード基材に埋設されている。
また、ＩＣチップが内蔵されたＩＣモジュール８には、図３に示すように、ＣＰＵ９、ＥＥＰＲＯＭ（書き換え可能な不揮発性メモリ）１０、ＲＯＭ（読み出し専用メモリ）１１、ＲＡＭ（揮発性メモリ）１２が備えられている。
また、更に電源電圧を供給するＶＣＣ端子１３、接地用のＧＮＤ端子１４、リセット信号を供給するＲＳＴ端子１５、クロック信号を供給するＣＬＫ端子１６、データ入出力用のＩ／Ｏ端子１７が備えられている。
【００２０】
そして、ＥＥＰＲＯＭ１０には、医療機関の医師が患者に投与する薬の処方箋としての薬の服用情報１８が記憶されている。
この薬の服用情報１８は、医療機関においてＩＣカードリーダライタで書き込まれて記憶させる情報であり、薬剤師から患者に薬が渡される際に、各薬毎に投薬管理装置１の区分けされた薬格納部３のどの薬格納部に薬を入れるのかをわかるようにしてある。
例えば、投薬管理装置１の区分けされた薬格納部３の各薬格納部を（ａ）〜（ｇ）までとして決めておき、薬剤師から患者に渡される薬毎に（ａ）〜（ｇ）までの文字をつけておくことで、薬を入れる薬格納部が指定されるようにしておく。
【００２１】
また、ＩＣカードのＥＥＰＲＯＭ１０に記憶される薬の服用情報１８としては、図４に示すように、１日毎に薬を服用する服用回数１９と、薬を服用する服用時刻２０、つまり服用する薬を投薬管理装置１の薬格納部３から薬取出部４に排出して、患者が薬を取り出せる状態にする排出時刻と、各回毎に服用すべき服用薬の種類２１とが記憶されている。
したがって、投薬管理装置１の薬格納部３に格納する薬の種類が、予めＩＣカードに記憶されている各回毎に服用すべき服用薬の種類と関連付けられているので、区分けされた薬格納部３の各薬格納部の中から、所定の薬だけを薬格納部３から薬取出部４に排出できるようにしてある。
【００２２】
次に、投薬管理装置１のシステムブロックを図５に基づいて説明する。
投薬管理装置１には、ＩＣカード読取手段２２、制御プログラムなどが記憶されている記憶手段２３、時刻を計測する計時手段２４、照合手段２５、排出手段２６、検知手段２７、落下手段２８、制御手段２９、警告手段３１などが備えられている。
ＩＣカード読取手段２２は、ＩＣカード２のＥＥＰＲＯＭ１０に記憶される薬の服用情報１８などを読み取り、照合手段２５により、ＩＣカード読取手段２２でＩＣカード２から読み取った薬の服用情報１８の服用時刻２０と、計時手段２４により計測する時刻とを照合して、実際の時刻が服用時刻２０になったか否かの照合が行われる。
【００２３】
また、排出手段２６は、図６に示すように、照合手段２５で実際の時刻が薬の服用情報１８に登録された服用時刻となった場合に、薬格納部３に区分けされて格納してある薬の中から、薬の服用情報１８に登録されている薬を選択して、薬格納部３から薬取出部４へと排出させる機能を有している。
薬取出部４へ排出された薬は、薬取出部４の略中央部に集まるように排出されるように搬送部が構成されている。
【００２４】
更に、薬取出部４には、センサーからなる検知手段２７が設けられている。
この検知手段２７は、薬取出部４へ排出された薬の存在を検知するためのもので、薬がどれだけの時間だけ薬取出部４に置かれたままの状態となっているかを、計時手段２４と共に計測する。
また、落下手段２８は、検知手段２７で検知された薬取出部４に置かれた薬が、所定時間を経過しても取り出されない状態である場合に、図７に示すように、薬取出部４の中央部分を回転させて、下方の薬回収部６へ薬を落下させる機能を有している。
ここで、薬取出部４に置かれた薬をどれだけの時間が経過した時に下方の薬回収部６へ薬を落下させるかについては、医師が処方する薬の成分などに応じて判断すればよく、例えば、薬に応じて３０分、１時間などの回収時間を設定すればよい。
これにより、所定時間か過ぎると、たとえ薬取出部４へ薬が排出されたとしても、回収されてしまうので、前回に排出され、とり忘れた薬と、今回に排出された薬とを一緒に服用してしまう事故を防止することができる。
【００２５】
薬回収部６に回収された薬５は、図８に示すように、薬回収部６の引き出しを引き出して取り出すことができるので、無駄にはならないようにしてあるが、利用者が高齢者などの場合には、薬回収部６の引き出しに鍵がかかる構造にしておき、自由に開かないようにしておくことが好ましい。
【００２６】
また、上記の投薬管理装置１では、薬取出部４が空洞の構造としてあり、外部から薬取出部４に排出させた薬を利用者が見ることができるようにしてあるが、他の実施例として図９乃至図１１に示した投薬管理装置３０のように、薬取出部４０を引き出し構造とするようにしてもよい。
この場合には、図１０に示すように、薬取出部４０を手前側に引き出すことで、内部に排出された薬を取り出し、更に薬回収部６０に回収された薬を、薬回収部６０の引き出しを引き出して取り出すことができるようにしてある。
【００２７】
落下手段は、図１２に示すように、検知手段２７で検知された薬取出部に置かれた薬が、所定時間を経過しても取り出されない状態である場合に、図１２（ａ）に示す状態から図１２（ｂ）に示すように、薬取出部の外側の部分が中央に対して折れ曲がるようにして、下方の薬回収部へ薬を落下させるようにしてもよい。
【００２８】
また、警告手段３１は、検知手段２７で検知された薬取出部に置かれた薬が、所定時間を経過しても取り出されない状態である場合に、ブザーなどの警告音を発生させたり、警告ランプを点滅させることで知られる機能を有している。
したがって、投薬管理装置１には、ブザー３２やランプ３３などを備えておく。
【００２９】
次に、本発明の実施形態に係る投薬管理システムの処理手順を、図１３に示すフローチャートに基づいて説明する。
以下の事例では、通院患者の場合について説明する。
まず、医療機関が、患者である利用者に診察カードとしてＩＣカード２を発行する。（ステップＳ１）
患者である利用者は、医療機関での診察の際にＩＣカード２を医療機関に提出する。（ステップＳ２）
そして、医療機関における医師の診察に基づいて、患者である利用者に対して投与する薬の処方箋が作成され、薬剤師は、患者である利用者に薬を渡す際に、薬の種類毎に識別するための文字や数字を付けて、薬袋に薬を入れる。（ステップＳ３）
【００３０】
また、ＩＣカード２をＩＣカードリーダライタにセットして、薬の服用情報として、１日に薬を服用する服用時刻と服用薬の種類に関する情報をＩＣカード２に書き込んで記憶させる。（ステップＳ４）
そして、医療機関から患者である利用者に薬袋と、ＩＣカード２を渡す。（ステップＳ５）
患者である利用者は、帰宅した後、投薬管理装置１の薬格納部３に種類別に区分けして薬を入れる。（ステップＳ６）
この際に、薬格納部３に表示された文字や番号と、薬に付けられている薬の種類毎に識別するための文字や数字とを一致させて、定められている位置に薬を入れる。
【００３１】
次に、投薬管理装置１のＩＣカード挿入部７にＩＣカードを挿入してセットする。（ステップＳ７）
投薬管理装置１のＩＣカード読取手段２２により、ＩＣカードのＥＥＰＲＯＭ１０に記憶されている薬の服用情報１８が読み取られ、服用情報１８の服用時刻が、計時手段２４で計測されている時刻との照合処理が行われる。（ステップＳ８）
【００３２】
そして、服用情報１８で設定されている服用時刻に実際に達した時に、ＩＣカードのＥＥＰＲＯＭ１０に記憶されている薬の服用情報１８で定められている種類及び量の薬が、薬格納部３から薬取出部に排出される。（ステップＳ９）
また、薬が薬取出部に排出された際に、ランプが点滅し、ブザーが鳴り、知らせる。（ステップＳ１０）
患者である利用者は、薬取出部から薬を取り出して服用する。
【００３３】
薬取出部に排出された薬は、検知手段２７により検知されて、所定時間が経過しても取り出されない場合には、落下手段２８により下方の薬回収部へ落とす。（ステップＳ１１）
以上のようにして、患者である利用者は、薬取出部に薬が排出された際に、その薬を服用するだけで、処方箋で定められた正しい時刻に、正しい種類の薬を服用することができる。
【図面の簡単な説明】
【００３４】
【図１】本発明の実施形態に係る投薬管理システムに使用する投薬管理装置と情報記憶媒体であるＩＣカードの斜視図である。
【図２】ＩＣカードの平面図である。
【図３】ＩＣカードのシステムブロック図である。
【図４】ＩＣカードに記憶されている薬の服用情報を示す図である。
【図５】本発明の実施形態に係る投薬管理システムのシステムブロック図である。
【図６】本発明の実施形態に係る投薬管理システムに使用する投薬管理装置における薬の排出を説明する図である。
【図７】本発明の実施形態に係る投薬管理システムに使用する投薬管理装置において、取り忘れた薬を落下させる場合を説明する図である。
【図８】本発明の実施形態に係る投薬管理システムに使用する投薬管理装置であって、薬の薬回収部を引き出した状態を示す斜視図である。
【図９】本発明の実施形態に係る投薬管理システムに使用する投薬管理装置の他の実施例を示す斜視図である。
【図１０】他の実施例の投薬管理装置であって、薬取出部の引き出しを開けた状態を示す斜視図である。
【図１１】他の実施例の投薬管理装置であって、薬取出部と薬回収部の夫々の引き出しを開けた状態を示す斜視図である。
【図１２】投薬管理装置に用いる落下手段の他の構造を示す図である。
【図１３】本発明の実施形態に係る投薬管理システムの処理手順を示すフローチャートである。
【符号の説明】
【００３５】
１，３０  投薬管理装置
２  ＩＣカード
３  薬格納部
４  薬取出部
５  薬
６，６０  薬回収部
７  ＩＣカード挿入部
８  ＩＣモジュール
９  ＣＰＵ
１０  ＥＥＰＲＯＭ
１１  ＲＯＭ
１２  ＲＡＭ
１３  ＶＣＣ端子
１４  接地用のＧＮＤ端子
１５  ＲＳＴ端子
１６  ＣＬＫ端子
１７  Ｉ／Ｏ端子
１８  服用情報
１９  服用回数
２０  服用時刻
２１  服用薬の種類
２２  ＩＣカード読取手段
２３  記憶手段
２４  計時手段
２５  照合手段
２６  排出手段
２７  検知手段
２８  落下手段
２９  制御手段
３１  警告手段
３２  ブザー
３３  ランプ
【図１】
2005204686.tif 000003
【図２】
2005204686.tif 000004
【図３】
2005204686.tif 000005
【図４】
2005204686.tif 000006
【図５】
2005204686.tif 000007
【図６】
2005204686.tif 000008
【図７】
2005204686.tif 000009
【図８】
2005204686.tif 000010
【図９】
2005204686.tif 000011
【図１０】
2005204686.tif 000012
【図１１】
2005204686.tif 000013
【図１２】
2005204686.tif 000014
【図１３】
2005204686.tif 000015